(57)【要約】      （修正有）【課題】画面の周縁部や隅部を含む画面の汚れ及び画面を取り囲む枠状部の汚れを、画面等を傷付けることを防ぎつつ容易に拭き取ることができる画面清掃具を提供する。【解決手段】偏平な正三角柱形のスポンジ状の柔軟な弾性芯材と、その弾性芯材を被覆する被覆布Ｓと、紐輪Ｒからなる。被覆布Ｓの軸線方向半分を、０．５デニール以下の極細繊維が起毛した拭部ＳＡとする。拭部ＳＡのうち、三角柱の一方の正三角形状の端面が主拭面ＳＡ１を構成し、三角柱の全側面のうちそれぞれ軸線方向における主拭面ＳＡ１の側のほぼ半分は、側拭面ＳＡ２を構成する。被覆布Ｓのうち軸線方向の他の半分は、０．５デニール以下の極細繊維からなるループパイルを備えたループパイル布の払部ＳＢとする。払部ＳＢのうち他方の正三角形状の端面が主払面ＳＢ１で、三角柱の全側面のうち軸線方向における主払面ＳＢ１の側のほぼ半分は側払面ＳＢ２とする。【選択図】図１
0003168555.tif 000002
【実用新案登録請求の範囲】
【請求項１】
０．５デニール以下の極細繊維が起毛してなる起毛布からなる拭部と、柔軟な弾性芯材を備えてなる画面清掃具であって、
前記拭部は、少なくとも一つの鋭角部を有する平坦状の主拭面を有し、
前記弾性芯材は、前記主拭面の裏面側を支持するものであることを特徴とする画面清掃具。
【請求項２】
０．５デニール以下の極細繊維からなるループパイルを備えたループパイル布からなる払部を有し、
前記払部は、少なくとも一つの鋭角部を有する平坦状の主払面を有し、
上記弾性芯材は、前記主払面と側払面の裏面側を支持するものである請求項１記載の画面清掃具。
【請求項３】
主拭面と主払面が平行状をなす請求項２記載の画面清掃具。
【請求項４】
上記拭部が、少なくとも一つの鋭角部を有する平坦状の主拭面と、その主拭面の鋭角部を挟む２辺からそれぞれ主拭面に対し垂直状に立ち上げられた側拭面を有し、
前記両側拭面の交線は、前記鋭角部の先端を通り、前記主拭面に対し垂直状をなすものであり、
前記弾性芯材は、前記主拭面と側拭面の裏面側を支持するものである請求項１記載の画面清掃具。
【請求項５】
主拭面が３つの鋭角部を備えた鋭角三角形状をなし、主拭面の３辺からそれぞれ主拭面に対し垂直状に立ち上げられた３つの側拭面が、各鋭角部の先端から前記主拭面に対し垂直状をなす各交線において互いに交差する請求項４記載の画面清掃具。
【請求項６】
主拭面が２つの鋭角部を備えた直角又は鈍角三角形状をなし、主拭面の３辺からそれぞれ主拭面に対し垂直状に立ち上げられた３つの側拭面が、主拭面の両鋭角部及び直角部又は鈍角部の先端から前記主拭面に対し垂直状をなす各交線において互いに交差する請求項４記載の画面清掃具。
【請求項７】
０．５デニール以下の極細繊維からなるループパイルを備えたループパイル布からなる払部を有し、
前記払部は、少なくとも一つの鋭角部を有する平坦状の主払面と、その主払面の鋭角部を挟む２辺からそれぞれ主払面に対し垂直状に立ち上げられ、前記鋭角部の先端から前記主払面に対し垂直状をなす交線において互いに交差する側払面を有し、
上記弾性芯材は、前記主払面と側払面の裏面側を支持するものである請求項４、５又は６記載の画面清掃具。
【請求項８】
主拭面と主払面が平行状をなし、側拭面と側払面が同一平面に沿うものである請求項７記載の画面清掃具。
【考案の詳細な説明】
【技術分野】
【０００１】
本考案は、液晶画面又はその他の画面を拭くことにより、画面を傷付けることを防ぎつつ清掃することができる画面清掃具に関する。
【背景技術】
【０００２】
特開２００２−２１９０９３号公報（特許文献１）には、超極細繊維の布帛を用いて形成した袋体の内部に緩衝材を入れたハンドクリーナとして、図面に、平面視正方形状であって、側面が上下両面から中央部にかけてそれぞれ湾曲状をなすハンドクリーナが開示されている。このハンドクリーナによれば、携帯電話等の機器における液晶画面等の画面の汚れを、表面に傷を付けることなく、汚れの原因である脂（油）汚れまでも簡単確実に拭き取ることができるものとされている。
【０００３】
携帯電話の液晶画面は、周縁に比し特に窪んでいないので、このようなハンドクリーナにより画面の隅部を容易に拭くことができる。しかしながら、テレビやパソコンディスプレイの液晶画面等は、通常の場合、画面が周縁部から一段窪んでいるので、画面の周縁部や隅部（通常の場合内角９０度）及び画面を取り囲む枠状部を効果的に清掃することは困難な点があった。
【先行技術文献】
【特許文献】
【０００４】
【特許文献１】特開２００２−２１９０９３号公報
【考案の概要】
【考案が解決しようとする課題】
【０００５】
本考案は、従来技術に存した上記のような課題に鑑み行われたものであって、その目的とするところは、画面の周縁部や隅部を含む画面の汚れ及び画面を取り囲む枠状部の汚れを、画面等を傷付けることを防ぎつつ容易に拭き取ることができる画面清掃具を提供することにある。
【課題を解決するための手段】
【０００６】
上記目的を達成する本考案の画面清掃具は、
０．５デニール以下の極細繊維が起毛してなる起毛布からなる拭部と、柔軟な弾性芯材を備えてなる画面清掃具であって、
前記拭部は、少なくとも一つの鋭角部を有する平坦状の主拭面を有し、
前記弾性芯材は、前記主拭面の裏面側を支持するものであることを特徴とする。
【０００７】
拭部の主拭面は、裏面側が柔軟な弾性芯材により支持された極細繊維が起毛してなる起毛布からなるので、（好ましくは少量の水を含ませて）主拭面によりテレビやパソコンディスプレイ等の液晶画面又はその他の画面を拭くことにより、画面を傷付けることを防ぎつつ皮脂汚れ等の油状の汚れ等を拭き取ることができる。
【０００８】
主拭面は鋭角部を有するため、主拭面により、画面の周縁部を含めた画面の油状の汚れ等を、画面等を傷付けることを防ぎつつ容易に拭き取ることができる。特に、主拭面の鋭角部を用いることにより、画面の隅部における油状の汚れ等を、画面を傷付けることを防ぎつつ容易且つ確実に拭き取ることができる。
【０００９】
上記画面清掃具は、
０．５デニール以下の極細繊維からなるループパイルを備えたループパイル布からなる払部を有し、
前記払部は、少なくとも一つの鋭角部を有する平坦状の主払面を有し、
上記弾性芯材は、前記主払面と側払面の裏面側を支持するものとすることが好ましい。
【００１０】
この場合、画面に付着した比較的粗い土粒子その他の粒子や塵埃等を、極細繊維からなるループパイルを備えたループパイル布からなる払部の主払面により払うようにすることによって、効果的に画面等から除去することができる。拭部により拭き取る前に、比較的粗い土粒子その他の粒子や塵埃等を画面から予め除去することにより、画面を傷付けることを確実に防ぎつつ効果的に画面の油状の汚れ等を拭き取ることができる。
【００１１】
また、上記画面清掃具は、主拭面と主払面が平行状をなすものとすることができる。
【００１２】
上記本考案の画面清掃具は、
上記拭部が、少なくとも一つの鋭角部を有する平坦状の主拭面と、その主拭面の鋭角部を挟む２辺からそれぞれ主拭面に対し垂直状に立ち上げられた側拭面を有し、
前記両側拭面の交線は、前記鋭角部の先端を通り、前記主拭面に対し垂直状をなすものであり、
前記弾性芯材は、前記主拭面と側拭面の裏面側を支持するものとすることが好ましい。
【００１３】
主拭面は鋭角部を有し、側拭面は主拭面の鋭角部を挟む２辺からそれぞれ主拭面に対し垂直状に立ち上げられ、両側拭面は鋭角部の先端から主拭面に対し垂直状をなす交線において互いに交差するものであり、側拭面も、裏面側が柔軟な弾性芯材により支持された極細繊維が起毛してなる起毛布からなる。そのため、主拭面及び側拭面により、画面の周縁部を含めた画面の油状の汚れ等と、画面を取り囲む枠状部の汚れを、画面等を傷付けることを防ぎつつ容易に拭き取ることができる。特に、主拭面の鋭角部及びその鋭角部付近の側拭面を用いることにより、画面の隅部における油状の汚れ等と隅部付近の枠状部の汚れを、画面等を傷付けることを防ぎつつ容易且つ確実に拭き取ることができる。
【００１４】
上記画面清掃具は、主拭面が３つの鋭角部を備えた鋭角三角形状をなし、主拭面の３辺からそれぞれ主拭面に対し垂直状に立ち上げられた３つの側拭面が、各鋭角部の先端から前記主拭面に対し垂直状をなす各交線において互いに交差するものとすることができる。
【００１５】
また上記画面清掃具は、主拭面が２つの鋭角部を備えた直角又は鈍角三角形状をなし、主拭面の３辺からそれぞれ主拭面に対し垂直状に立ち上げられた３つの側拭面が、主拭面の両鋭角部及び直角部又は鈍角部の先端から前記主拭面に対し垂直状をなす各交線において互いに交差するものとすることができる。
【００１６】
更に、本考案の画面清掃具は、０．５デニール以下の極細繊維からなるループパイルを備えたループパイル布からなる払部を有し、
前記払部は、少なくとも一つの鋭角部を有する平坦状の主払面と、その主払面の鋭角部を挟む２辺からそれぞれ主払面に対し垂直状に立ち上げられ、前記鋭角部の先端から前記主払面に対し垂直状をなす交線において互いに交差する側払面を有し、
上記弾性芯材は、前記主払面と側払面の裏面側を支持するものとすることが好ましい。
【００１７】
画面及び画面を取り囲む周縁部又は周壁部に付着した比較的粗い土粒子その他の粒子や塵埃等を、極細繊維からなるループパイルを備えたループパイル布からなる払部の主払面並びに主払面の鋭角部を挟む２辺からそれぞれ主払面に対し垂直状に立ち上げられて鋭角部の先端から主払面に対し垂直状をなす交線において互いに交差する側払面により払うようにすることによって、効果的に画面等から除去することができる。拭部により拭き取る前に、比較的粗い土粒子その他の粒子や塵埃等を画面や枠状部から予め除去することにより、画面等を傷付けることを確実に防ぎつつ効果的に画面等の油状の汚れ等を拭き取ることができる。
【００１８】
また、上記画面清掃具は、主拭面と主払面が平行状をなし、側拭面と側払面が同一平面に沿うものとすることができる。
【考案の効果】
【００１９】
本考案の清掃具によれば、主拭面により、画面の周縁部や隅部を含む画面の油状の汚れ等を、画面を傷付けることを防ぎつつ容易に拭き取ることができる。特に、主拭面の鋭角部を用いることにより、画面の隅部における油状の汚れ等を、画面等を傷付けることを防ぎつつ容易且つ確実に拭き取ることができる。
【図面の簡単な説明】
【００２０】
【図１】斜視図である。
【図２】縦断面図である。
【考案を実施するための形態】
【００２１】
本考案の実施の形態を、図面を参照しつつ説明する。
【００２２】
図面は何れも本考案の実施の形態の一例としての画面清掃具についてのものであって、図１は斜視図、図２は縦断面図である。
【００２３】
この画面清掃具Ａは、偏平な正三角柱形のスポンジ状の柔軟な弾性芯材Ｐと、その弾性芯材Ｐを被覆する被覆布Ｓと、紐輪Ｒからなり、偏平な正三角柱形状をなす。
【００２４】
正三角柱形状を形成する被覆布Ｓのうち軸線方向の半分は、０．５デニール以下の極細繊維が起毛してなる起毛布からなる拭部ＳＡを構成している。拭部ＳＡのうち、三角柱の一方の正三角形状の端面が平坦状の主拭面ＳＡ１を構成し、三角柱の全側面のうちそれぞれ軸線方向における主拭面ＳＡ１の側のほぼ半分は、主拭面ＳＡ１に対し垂直状に立ち上げられた側拭面ＳＡ２を構成している。
【００２５】
また、正三角柱形状を形成する被覆布Ｓのうち軸線方向の他の半分は、０．５デニール以下の極細繊維からなるループパイルを備えたループパイル布からなる払部ＳＢを構成している。払部ＳＢのうち、三角柱の他方の正三角形状の端面が平坦状の主払面ＳＢ１を構成し、三角柱の全側面のうちそれぞれ軸線方向における主払面ＳＢ１の側のほぼ半分は、主払面ＳＢ１に対し垂直状に立ち上げられた側払面ＳＢ２を構成している。
【００２６】
従って、主拭面ＳＡ１と主払面ＳＢ１は平行状をなし、側拭面ＳＡ２と側払面ＳＢ２は同一平面に沿っている。弾性芯材Ｐは、主拭面ＳＡ１、側拭面ＳＡ２、主払面ＳＢ１及び側払面ＳＢ２の裏面側を支持している。紐輪Ｒは、三角柱の側周の角部のうち軸線方向中間部に、フック等への掛止等のために設けられている。
【００２７】
拭部ＳＡの主拭面ＳＡ１は、裏面側が柔軟な弾性芯材Ｐにより支持された極細繊維が起毛してなる起毛布からなるので、好ましくは少量の水を含ませた主拭面ＳＡ１によりテレビやパソコンディスプレイ等の液晶画面又はその他の画面を拭くことにより、画面を傷付けることを防ぎつつ皮脂汚れ等の油状の汚れ等を拭き取ることができる。
【００２８】
主拭面ＳＡ１は約６０度の鋭角部を有し、主拭面ＳＡ１の３辺からそれぞれ主拭面ＳＡ１に対し垂直状に立ち上げられた３つの側拭面ＳＡ２のうち２側拭面ＳＡ２同士は、各鋭角部の先端から主拭面ＳＡ１に対し垂直状をなす交線において互いに交差する。そのため、主拭面ＳＡ１及び側拭面ＳＡ２により、画面の周縁部を含めた画面の油状の汚れ等と、画面を取り囲む枠状部の汚れを、画面等を傷付けることを防ぎつつ容易に拭き取ることができる。特に、主拭面ＳＡ１の鋭角部及びその鋭角部付近の側拭面ＳＡ２を用いることにより、通常の場合内角が９０度の画面の隅部における油状の汚れ等と隅部付近の枠状部の汚れを、画面等を傷付けることを防ぎつつ容易且つ確実に拭き取ることができる。
【００２９】
画面及び画面を取り囲む周縁部又は周壁部に付着した比較的粗い土粒子その他の粒子や塵埃等を、極細繊維からなるループパイルを備えたループパイル布からなる払部ＳＢの主払面ＳＢ１及び側払面ＳＢ２により払うようにすることによって、効果的に画面等から除去することができる。拭部ＳＡにより拭き取る前に、比較的粗い土粒子その他の粒子や塵埃等を画面や枠状部から予め除去することにより、画面等を傷付けることを確実に防ぎつつ効果的に画面等の油状の汚れ等を拭き取ることができる。
【００３０】
なお、本考案の画面清掃具Ａにおける拭部ＳＡの主拭面ＳＡ１は、少なくとも一つの鋭角部を有する平坦状をなす。主拭面ＳＡ１の鋭角部は、３０乃至８０度が好ましい。より好ましくは４０乃至７０度程度である。払部ＳＢの主払面ＳＢ１についても、同様に、少なくとも一つの鋭角部を有する平坦状をなす。主払面ＳＢ１の鋭角部は、３０乃至８０度が好ましい。より好ましくは４０乃至７０度程度である。
【００３１】
主拭面ＳＡ１は、３つの鋭角部を備えた鋭角三角形状をなすもののほか、２つの鋭角部を備えた直角又は鈍角三角形状をなすものとすることもでき、四角形以上の多角形、例えば菱形等とすることもできる。主払面ＳＢ１も同様である。
【００３２】
また、本考案の画面清掃具Ａは、種々の三角柱、四角柱、その他の多角柱のほか、各種立体形状とすることもでき、払部ＳＢを有しないものとすることもできる。
【００３３】
拭部ＳＡの起毛及び払部ＳＢのループパイルを構成する極細繊維は、好ましくは実質上０．４デニール以下、より好ましくは実質上０．３デニール以下である。この極細繊維は０．００１デニール以上であるものとすることができ、０．０１デニール以上であってもよく、０．０６デニール以上であってもよい。このような極細繊維は、一般的には合成繊維である。合成繊維の種類は特に限定されないが、ポリエステル、ナイロン等を用いることができる。また、この極細繊維は、例えば、海島型複合繊維の海成分を溶剤や分解剤で分離することにより製造したり、２成分以上からなる剥離型の分割繊維を使用して分離させることにより製造する等の公知の製法により製造することができる。
【００３４】
以上の実施の形態についての記述における上下位置関係は、単に図に基づいた説明の便宜のためのものであって、実際の使用状態等を限定するものではない。また、以上の実施の形態についての記述における構成部品の寸法、個数、材質、形状、その相対配置などは、特にそれらに限定される旨の記載がない限りは、この考案の範囲をそれらのみに限定する趣旨のものではなく、単なる説明例に過ぎない。
【符号の説明】
【００３５】
Ａ      画面清掃具
Ｐ      弾性芯材
Ｒ      紐輪
Ｓ      被覆布
ＳＡ    拭部
ＳＡ１  主拭面
ＳＡ２  側拭面
ＳＢ    払部
ＳＢ１  主払面
ＳＢ２  側払面
【図１】
0003168555.tif 000003
【図２】
0003168555.tif 000004